(57)【要約】【課題】ノズルから噴射された塗料がラインの外に飛び散ったり、液垂れやしみ出し、濃淡差などが生じることなく、鮮明なラインを引くことができ、さらに台車は直線部では直進安定性に優れ、且つ曲線部では正確な半径で走行できるラインマーカーとライン引きの方法を提供する。【解決手段】塗料を貯留するタンクと、塗料を吹き付けるガンと、前記タンクから前記ガンに塗料を供給する供給装置と、前記ガンの両側に設けられて塗装面に接地して回転する一対の規制円板と、前記の一対の規制円板の間の進行方向の前方側に設けられて、前記の規制円板の側面に付着した塗料を除去して前方に流下させるための樋部材と、前記の樋部材を流下した塗料を貯留させるトレイとが台車に搭載されている。【選択図】図１
2011000407.tif 000002
【特許請求の範囲】
【請求項１】
塗料を貯留するタンクと、塗料を吹き付けるガンと、前記タンクから前記ガンに塗料を供給する供給装置と、前記ガンの両側に設けられて塗装面に接地して回転する一対の規制円板と、前記の一対の規制円板の間の進行方向の前方側に設けられて、前記の規制円板の側面に付着した塗料を除去して前方に流下させるための樋部材と、前記の樋部材を流下した塗料を貯留させるトレイとが、台車に搭載されていることを特徴とするラインマーカー。
【請求項２】
前記台車は、少なくとも一対の操舵用車輪と一対の固定車輪と操舵装置からなり、前記の一対の操舵用車輪と一対の固定車輪は各々が車軸に装着されており、且つ前記車軸に設けた各々のクラッチの操作によって、各々の一対の車輪同士が回転自由、または剛結の何れかに切り替え可能になっていることを特徴とする請求項１記載のラインマーカー。
【請求項３】
請求項２に記載するラインマーカーを使って直線のラインを引く際は、操舵ハンドルを直線方向の位置に合わせ、且つ前記クラッチの操作によって、一対の操舵用車輪同士と一対の固定車輪同士を剛結した状態で走行しながら行い、曲線のラインを引く際は、操舵ハンドルを曲線の半径に対応した角度の位置に合わせ、且つ前記クラッチの操作によって、一対の操舵用車輪同士と一対の固定車輪同士を回転自在に切り替えた状態で走行しながら行うことを特徴とするライン引き方法。
【発明の詳細な説明】
【技術分野】
【０００１】  本発明は競技場のグラウンドやコートに塗料を吹き付けてライン引きを行うためのラインマーカーとライン引き方法に関するものである。
【背景技術】
【０００２】  従来、競技場のグラウンドやコートなどの表面に向けてノズルから塗料を吹き付けてライン引きを行うようにした噴射式のラインマーカーが提案されている。例えば特許文献１に記載されているグラウンド用噴射式ラインマーカーは、車輪で移動可能なフレーム上に塗料を貯留するタンクと前記塗料を吸引してノズルから噴出する塗料吸引ポンプとを搭載しており、フレームに取り付けられた手押し棒を手で押してフレームを移動させながら塗料を前記ノズルからグラウンド表面に向けて噴射してライン引きを行う構造になっている。【０００３】  また、特許文献２に記載されているラインマーカーは、モーターによって駆動される台車上に、塗料タンクと前記塗料タンクから塗料を吸引して噴射装置の噴射ノズルから塗料をスプレー状に噴射させる電動ポンプとを備え、噴射装置は塗料をスプレー状に噴射するための噴射ノズルと、この噴射ノズルの側方に互いに平行に垂下された一対のガイド用方形板とを有し、コート上をモーターで台車を走行させながら塗料を噴射してラインを引く構造になっている。【０００４】  さらに、特許文献３は噴射ノズルが、台車の走行方向と直交する垂直面内で、先端側を下方に向けて少なくとも一対設けられ、これら噴射ノズルの中心軸線の延長線がそれぞれの噴射ノズルの先端下方で互いに交差するように傾斜して設けられていることを特徴としている。
【先行技術文献】
【特許文献】
【０００５】
【特許文献１】特開平８−７９２号公報
【特許文献２】特開平８−７１２０１号公報
【特許文献３】特開２００８−１５４７１４号公報
【発明の概要】
【発明が解決しようとする課題】
【０００６】  前述したような、従来提案されている塗料噴射式のラインマーカーにおいては、何れもノズルから噴射された塗料が飛び散るのを防止するために、噴射ノズルの両側方に一対の飛び散り防止用の板が設けられている。しかしながら、この方法ではグラウンドやコートの表面と飛び散り防止用の板の間に隙間が必要であるために、その隙間から噴射された塗料がはみ出してラインの境界がぼやけてしまい、鮮明なラインを引くことができないという問題があった。【０００７】  さらに、前記飛び散り防止用の板の側面には噴射された塗料が徐々に蓄積されて、やがては垂れて下方に流れ出してグラウンドやコートの表面に滴下し、ラインからの、はみ出しや濃淡差ができてしまう問題もあった。【０００８】  一方、マスキングテープや型枠などを使って飛び散りを防止する方法が一般的であるが、その場合マスキングテープや型枠などの資材を必要とするのみならず、長距離のラインを引く場合には多大な労力と時間を必要とし作業効率が極めて悪い。特に、陸上競技場のトラックにおいては、走路の表面は滑り防止を目的として凹凸加工が施されているために、マスキングテープを使用できないことから型枠などを使わざるを得ないが、曲線部の半径は各レーン毎に異なるために、各レーンの半径に対応する多種類の型枠を大量に必要とする問題もあった。【０００９】  又、ラインを引くには、予め引かれたケガキ線に沿って正確に引く必要がある。例えば陸上競技場のトラックでは精度をｍｍ単位で保つ必要があるが、特に直線部では３〜５ｍｍ程度の僅かな蛇行やズレでも斜め方向に見れば判別できてしまうことから、極めて精度の高い直線性が要求されるが、従来そのような高い精度でラインを引くことができる装置は実用化されていなかった。【００１０】  そこで本発明では前記の問題点を解消し、ノズルから噴射された塗料がラインの外に飛び散ったり、液垂れやしみ出し、濃淡差などが生じることなく、鮮明なラインを引くことができ、さらに台車は直線部では直進安定性に優れ、且つ曲線部では正確な半径で走行できるラインマーカーとライン引きの方法を提供することを目的とするものである。
【課題を解決するための手段】
【００１１】  本発明に係わるラインマーカーは、塗料を貯留するタンクと、塗料を吹き付けるガンと、前記タンクから前記ガンに塗料を供給する供給装置と、前記ガンの両側に設けられて塗装面に接地して回転する一対の規制円板と、前記の一対の規制円板の間の進行方向の前方側に設けられて、前記の規制円板の側面に付着した塗料を除去して前方に流下させるための樋部材と、前記の樋部材を流下した塗料を貯留させるトレイとが、台車に搭載されているものである。【００１２】  また本発明に係わるラインマーカーにおいて、前記台車は、少なくとも一対の操舵用車輪と一対の固定車輪と操舵装置からなり、前記の一対の操舵用車輪と一対の固定車輪は各々が車軸に装着されており、且つ前記車軸に設けた各々のクラッチの操作によって、各々の一対の車輪同士が回転自由、または剛結の何れかに切り替え可能になっている。【００１３】  本発明に係わるライン引き方法は、上記に記載するラインマーカーを使って直線のラインを引く際は、操舵ハンドルを直線方向の位置に合わせ、且つ前記クラッチの操作によって、一対の操舵用車輪同士と一対の固定車輪同士を剛結した状態で走行しながら行い、曲線のラインを引く際は、操舵ハンドルを曲線の半径に対応した角度の位置に合わせ、且つ前記クラッチの操作によって、一対の操舵用車輪同士と一対の固定車輪同士を回転自在に切り替えた状態で走行しながら行うことを特徴とするものである。【００１４】  請求項１記載の本発明によれば、ガンから吹き付けられた塗料がラインの外に飛び散るのを防止するためにガンの両側に設けられた規制板が、塗装面に接地して回転する一対の円板であることから、グラウンドやコートなどの塗装面との間に隙間が無くなり、塗料がラインの外に飛び散るのを防止できる。さらに、前記規制円板の内側側面に付着した塗料は、規制円板の間の進行方向の前方側に設けられた樋部材によって、一回転毎に規制円板の側面に付着した塗料が前記の樋部材のブレード部で除去されて、除去された塗料は前記の樋部材を流下して前方に設けた貯留トレイまで流下して貯留されるので、規制円板の側面に付着した塗料が徐々に蓄積し、やがて下に垂れて流れ出したり、滴下したり、ラインからはみ出したり、濃淡差などが発生することなどを防止できる。【００１５】  また請求項２記載の本発明に係わるラインマーカーを使用すれば、直線のラインを引く際は操舵ハンドルを直線方向の位置に合わせると同時に、一対の操舵用車輪と一対の固定車輪の両方を、各々のクラッチの操作によって各々の車輪同士を剛結することで、走行時のふらつきや蛇行が生じ難くなり極めて高い精度で直線に走行させながらラインを引くことができる。また、曲線のラインを引く際は操舵ハンドルを曲線の半径に対応した角度に合わせ、且つ前記の各々のクラッチの操作によって前記の各々の車輪を回転自在に切り替えれば、内周側と外周側の車輪の回転差を解消できてスムーズ、且つ正確な半径で曲線走行させながらラインを引くことが可能となる。
【発明の効果】
【００１６】  前記のとおり、本発明のラインマーカーとライン引き方法によれば、ノズルから噴射された塗料がラインの外に飛び散ったり、液垂れやしみ出し、濃淡差などが生じることなく鮮明なラインを引くことができ、さらに台車は直線部では直進安定性に優れ、且つ曲線部では正確な半径で走行できるラインマーカーとライン引きの方法を提供でき、ライン引き作業の効率が大幅に向上する。
【図面の簡単な説明】
【００１７】
【図１】本発明に係わるラインマーカーの１実施形態の側面図である。
【図２】同上の平面図である。
【図３】本発明の実施形態１に係わるライン引きユニットの正面図である。
【図４】同上の側面図である。
【図５】同上の平面図である。
【図６】本発明の実施形態１に係わる樋部材の断面図である。
【図７】本発明の実施形態２に係わる台車の側面図である。
【図８】同上の平面図である。
【図９】本発明の実施形態２に係わる車輪ユニットの断面図である。
【図１０】同上の平面図である。
【発明を実施するための形態】
【００１８】  図１は本発明に係わるラインマーカーの１実施形態を示す側面図、図２はその平面図であって、これらの図に示すように、ラインマーカー１は、競技場のトラックやコートなどの上を移動自在な台車２の床板３の上に、塗料を貯留するタンク１０２と、前記タンク内の塗料をトラックやコートの表面に向けて吹き付けて線引きを行うための吹き付けガンを装備したライン引きユニット５０と、タンク１０２内の塗料を前記吹き付けガンに供給するための空気供給機１０３と、発電機などの電源装置１０１を搭載している。
【００１９】  図３は本発明の実施形態１に係わる前記ライン引きユニット５０の正面図、図４は前記ライン引きユニット５０の側面図、図５は前記ライン引きユニット５０の平面図である。尚、図４は規制円板５１を除去した状態の図である。図４において、５２は塗料を吹き付けるためのガンであるが、本図では低圧エアー吹き付け式のガンの例を示している。５３は低圧エアーを供給するホース、５４は貯留タンク１０２の底から塗料を供給するホース、５５はガン内の空気圧力と密閉された貯留タンク１０２内の圧力を同一にするために接続されるホースである。５６はガン５２に設けられた引き金である。尚、引き金はワイヤーやレバーなどの手段（図示せず）を利用して、上部で遠隔操作できるようにすれば操作が簡単である。
【００２０】  図４において、ガン５２は、一対の規制円板５１、５１‘の間において、垂直支持棒６０の下端に設けられたヒンジ５９部において回転可能に支持されており、前記垂直支持棒６０は水平方向の水平支持棒６２の左側先端部に設けたクランプ６１に上下方向にスライド可能に保持されており、例えば蝶ボルト６１‘を締め付けることで任意の位置に固定することができる。同様に水平方向の支持棒６２は可動フレーム６４に取り付けたクランプ６３に水平方向にスライド可能に保持されており、蝶ボルト６３‘を締め付けることで任意の位置に固定することができる。このようにすれば、ガン５２を任意の位置に、且つ任意の角度に容易に調整することが可能となる。
【００２１】  図３において、６８は軸受けであり、シャフト６７を回転自在に支持している。シャフト６７には規制円板５１、５１‘を備えたシャフトホルダー６５，６６が嵌装されており、例えば蝶ボルト６５’、６６‘を締め付けることで任意の位置に固定することができる。すなわち、ラインの幅になる規制円板５１と５１’の間の幅を自由に調整することができる。前記軸受け６８は前記可動フレーム６４に固定されており、可動フレーム６４はスライドガイド７０を介して固定フレーム６９に、上下方向にスライド自在に取り付けられている。７１は支持棒であって下端部において可動フレーム６４に固定されており、上方では固定フレーム６９に取り付けられたホルダー６９ａに嵌装されている。７２は前記支持棒７１の上端に取り付けられた取っ手であり、これを上方に引き上げると、可動フレーム６４が引き上げられる。ラインを引かずに、台車２を移動させるだけの場合には、例えば支持棒７１に設けた穴７１‘と前記ホルダー６９ａに設けた穴を一致させて、ピン（図示せず）を差し込めば、可動フレーム６４を引き上げた状態で保持できる。尚、固定フレーム６９は、その水平部６９‘において前記台車２に取り付けられている。
【００２２】  図４において、７３は樋部材、７４は前記樋部材７３を流下してきた塗料を受けて貯留するトレイ、７５は前記可動フレーム６４に取り付けられ、前記トレイ７４と樋部材７３を保持するブラケットである。
【００２３】  図６は図４における樋部材７３を右側から見た断面図であって、樋部材７３のエッジ部７３ａが規制円板５１，５１‘の内側側面に接触している。７３ｂ部は除去した塗料を流下させる樋部である。樋部材７３は適度な反発力で規制円板５１，５１‘の内側側面に接触して塗料を除去できるものであれば良く、例えば、厚さが０．５ｍｍ程度の鋼板やステンレス板製が良い。
【００２４】  次に、本発明に係わる上述のライン引きユニット５０の作用について説明する。まず、貯留タンク１０２に必要量の塗料を投入して密閉する。次に電源装置１０１と空気供給機１０３を起動させ、前記吹き付けガン５２に設けられた引き金５６を引くと、貯留タンク１０２内の塗料がホース５４を通ってガン５２内に供給される。同時に低圧エアーもホース５３を通ってガン５２内に供給されて、先端ノズル５７から塗料と低圧エアーが同時に噴出し、塗料は５８に示すように霧または粒状になって下面に吹きつけられる。尚、吹き付け作業に先立って、予め前記可動フレーム６４を上下方向にスライド自由な状態にして規制円板５１，５１‘を塗装面に接地させておく。
【００２５】  この時、トラックやコートなどの塗装面に接地している規制円板５１と５１‘の間で吹き付けが行われるため、吹き付けられた塗料は規制円板５１と５１’に規制されて横に飛び散らないため、鮮明なラインを引くことができる。尚、円板は接地点の前後の隙間から塗料が横に飛び散らない程度の充分な大きさ、例えば外径が３００から４００ｍｍ程度とし、また、ガン５２の吹き付け角度は図４に示すように進行方向（図４においては右方向）に対して若干後方に傾け、且つ規制円板の中心軸の真下すなわち接地点に向けて吹き付けるのが良い。尚、吹き付け条件は、塗料が遠くに飛び散り難く、且つ粗い仕上がりにならない程度の粒径になるように、塗料の粘性やノズル径、吹き付けエアー量、ノズルと塗装面との距離などを調整すると良い。本実施例では、塗料が比較的飛散し難い低圧エアー吹き付け式のガンの例を示したが、一般的な高圧エアースプレーガンやエアーレススプレーガンを使うことも可能である。
【００２６】  前述の吹き付けを開始すると同時に台車２を移動させると、塗料が飛び散ってラインからはみ出したりすること無く、規制円板５１と５１‘の間の幅のラインを鮮明に連続的に引くことができる。しかしながら、連続的にラインを引き続けると、飛び散り規制用の規制円板５１と５１’の内側側面には、吹き付けられた塗料が付着して徐々に蓄積されて、やがては垂れて下方に流れ出してグラウンドやコートの表面に滴下し、ラインからの、はみ出しや、濃淡差ができることがある。また、規制円板５１と５１’の内側側面で塗料が硬化してラインの幅が徐々に狭くなってしまうこともある。
【００２７】  前記樋部材７３は、前述の規制円板５１と５１‘の側面に付着した塗料を除去するものである。台車２の移動に伴って、塗装面に接地している規制円板５１と５１‘は回転するので、規制円板５１，５１‘の内側側面に接触している前記樋部材のエッジ部７３ａが、付着した塗料を連続的に除去し、除去された塗料は樋部７３ｂを流下して貯留トレイ７４に貯留される。それによって本発明のラインマーカーを使用すれば、ノズルから噴射された塗料がラインの外に飛び散ったり、液垂れやしみ出し、濃淡差などの無い鮮明なラインを引くことができる。尚、規制円板５１と５１‘の側面に接触している樋部材のエッジ部７３ａの押し付け力が大きい場合や、塗料の粘性が高くなって塗料を除去する抵抗力が大きくなる場合に、規制円板５１，５１’が接地部でスリップして回転が停止することがあるが、その場合には可動フレーム６４にウエイト（図示せず）を搭載するか、固定フレーム６９と可動フレーム６４の間に圧縮バネ（図示せず）を介在させるなどの方法で接地荷重を大きくすれば解決できる。
【００２８】  次に、本発明の実施形態２に係わる台車２について説明する。図７は台車２の側面図、図８は台車２の平面図である。図７において、３は台車のフレームであり、その上には床板３‘が貼られている。図８は床板３’を除去した状態を示している。これらの図において、４は台車を人力で押す際の手押しバーである。６は台車を操舵するためのハンドルであって、これを回転させるとハンドル６に連結した垂直シャフト７からベベルギヤボックス８に伝わり、さらに水平方向のシャフト９にまで回転が伝達される。１０はシャフトを保持する軸受けであり、１１はシャフト１０の先端側に設けられたオスネジ部である。１２は前記オスネジ部１１に嵌装されるメスネジ部を有したブロックであって、その上面においてリンク１３の支点部１３ａが回転自在に嵌められでいる。前記リンク１３の他方の支点部１３ｂは、後述の車輪ユニット２０にピンを介して回転自在に繋がれている。
【００２９】  図９は車輪ユニット２０の断面図、図１０は車輪ユニット２０の平面図である。図９において、２１は車輪であって、車軸２３に対して回転できないようにキー２１ａを使って結合されている。他方の車輪２２は車軸２３に対して回転可能なようにベアリング２２ａを介して装着されていると同時に、車軸２３に装着されたクラッチ２４にも接続されている。前記クラッチ２４は一般産業用部品として広く使用されているものを使用でき、例えば小倉クラッチ株式会社製のＶＣＥ型の乾式単板電磁クラッチである。クラッチ２４が非通電の状態では、車輪２２は車軸２３に対して回転可能にベアリング２２ａを介して装着された状態であって自由に回転できる。クラッチ２４に通電、即ちＯＮの状態にすると、クラッチの電磁力の作用によって車輪２２は車軸２３と結合されて回転できない、即ち実質的に車輪２２と車軸２３は一体化された状態になる。尚車輪２２，２３の接地面に使用する素材は、スリップし難く、且つ耐摩耗性能が優れたウレタンなどを使用するのが良い。
【００３０】  前記車軸２３は、フレーム２６に取り付けたベアリングユニット２５と２５‘に保持されて自由に回転することができる。車輪ユニット２０を構成するフレーム２６は、前記台車２のフレーム３の下面に取り付けられる。図８に示す台車２の平面図において、左側ではフレーム２６はボルト１６を使って固定されて固定車輪を形成しており、一方、右側ではフレーム２６は支点１４を中心に揺動できるように取り付けられて操舵車輪を形成している。１５は揺動用のガイド穴である。
【００３１】  図１０は、前述の車輪ユニット２０の平面図であるが、前記操舵車輪側の例を示しており、支点１４を中心に揺動できるように取り付けられたフレーム２６は、図の左側において前記リンク１３の支点部１３ｂとピンを介して回転自在に繋がれている。従って、前述のハンドル６を回転させると水平シャフト９にまで回転が伝達され、その先端のオスネジ部１１に嵌装されるメスネジを有したブロック１２が、オスネジ１１の回転に応じて前進または後退することから、図１０において仮想線で示すように車輪ユニット２０は支点１４を中心に揺動する。
【００３２】  次に、本発明に係わる上述の台車２の作用について説明する。ラインを直線に引く場合は、操舵車輪と固定車輪が平行になるように前記ハンドル６の位置を調整し、同時に前記クラッチ２４をＯＮ、即ち通電状態にして、操舵車輪と固定車輪の両方ともに、車輪２１、２２と車軸２３とを結合した状態とする。そのようにすれば、鉄道車両の車輪と同様に、車軸に車輪が剛結された状態になり、一対の車輪は両方とも完全に同一回転するため、走行のふらつきや蛇行が無く、極めて安定して直進走行させることができる。
【００３３】  一方、陸上競技場のトラックなどの曲線部においては、蛇行の無い正確な半径のラインを引く必要がある。本発明に係わる上述の台車２を使用すれば、曲線部においては、操舵車輪が曲線の半径に対応する角度になるようにハンドル６を調整すると同時に、前記クラッチ２４をＯＦＦ、即ち非通電状態にして、操舵車輪と固定車輪の両方ともに、車輪２１と２２が互いに回転自由な状態にする。そのようにすれば、曲線部を走行時の内周側の車輪と外周側の車輪の速度差、即ち回転差を解消することができ、スムーズに滑らかな曲線のラインを引くことができる。
【００３４】  例えば、陸上競技場のトラックの曲線の半径が３５ｍとし、本発明の前記台車２の車輪のホイルベース、即ち車輪間のピッチを０．９ｍと仮定すると、操舵車輪と固定車輪の車軸どうしの角度は約１．５°にする必要がある。その場合、本実施例においては、前記ハンドル６を回転させて前記ブロック１２を約１０ｍｍ前進あるいは後退させれば良い。例えば、前記オスネジ１１のピッチが２ｍｍと仮定すると前記ハンドル６を５回転すればよく、微妙な調整を簡単且つ正確に行うことができる。尚、前記オスネジ１１のピッチはラインを引く曲線の半径に応じて、適当なピッチの品にすれば良い。また、ハンドル６の回転数や回転位置を容易に判別できるように、回転計や回転数のインジケーター、或いは回転数をカーブの半径に換算した目盛などを適宜設置すれば良い。
【００３５】  本発明のラインマーカーを使った本発明に係わるライン引き方法は、例えば直線部から曲線部に移行する瞬間に、直ちにクラッチ２４のスイッチをＯＦＦにすると共に、ハンドル６を所定の半径に対応する位置まで急速回転させれば、ラインマーカーを殆ど停止させる必要がなく、連続的にラインを引くことができる。一方、曲線部から直線部に移行する場合は、クラッチ２４のスイッチをＯＮにし、ハンドル６は直線に対応する位置に戻せば良い。尚、クラッチ２４のスイッチや、ハンドル６の回転位置の表示装置などは、手押しバー４の近くに設置した操作盤５に集約すれば使い勝手が良い。このようにすれば、例えば陸上競技場のトラックのラインを一周連続して引く場合にも、連続的に正確に直線と曲線を引くことが可能となる。
【００３６】    前記のとおり、本発明のラインマーカーとライン引き方法によれば、ノズルから噴射された塗料がラインの外に飛び散ったり、液垂れやしみ出し、濃淡差などが生じることなく鮮明なラインを引くことができ、さらに台車は直線部では直進安定性に優れ、且つ曲線部では正確な半径で走行することが可能となり、作業効率が大幅に向上する
【符号の説明】
【００３７】１      ラインマーカー
２      台車
３      台車のフレーム
３‘    床板
４      手押しバー
５      操作盤
６      操舵ハンドル
７      垂直シャフト
８      ベベルギヤボックス
９      水平シャフト
１０    軸受け
１１    オスネジ部
１２    ブロック
１３    リンク
１４    支点
１５    ガイド穴
１６    ボルト
２０    車輪ユニット
２１    車輪
２２    車輪
２３    車軸
２４    クラッチ
２５    ベアリングユニット
２６    フレーム
５０    ライン引きユニット
５１    規制円板
５２    ガン
５３    低圧エアーホース
５４    塗料供給ホース
５５    タンク接続ホース
５６    引き金
５７    先端ノズル
５８    粒状の塗料
５９    ヒンジ
６０    垂直支持棒
６１    クランプ
６２    水平支持棒
６３    クランプ
６４    可動フレーム
６５    シャフトホルダー
６６    シャフトホルダー
６７    シャフト
６８    軸受け
６９    固定フレーム
７０    スライドガイド
７１    支持棒
７２    取っ手
７３    樋部材
７４    塗料貯留トレイ
７５    保持ブラケット
１０１  電源装置
１０２  塗料貯留タンク
１０３  空気供給機
【図１】
2011000407.tif 000003
【図２】
2011000407.tif 000004
【図３】
2011000407.tif 000005
【図４】
2011000407.tif 000006
【図５】
2011000407.tif 000007
【図６】
2011000407.tif 000008
【図７】
2011000407.tif 000009
【図８】
2011000407.tif 000010
【図９】
2011000407.tif 000011
【図１０】
2011000407.tif 000012